(57)【要約】【課題】構造の簡素化を図るとともに、操作を簡単とする。【解決手段】表示手段（ＬＥＤ４３ａ〜４３ｅ）の背部に配設する表示基板４２に、該表示基板４２と平行に操作するスイッチ４４ａ〜４４ｃを配設するとともに、該スイッチ４４ａ〜４４ｃの操作部４７ａ〜４７ｃを対向するケーシング１１の表面に配設し、該操作部４７ａ〜４７ｃと表示手段とをケーシング１１において互いに交わる異なった面に配置している。ケーシング１１における表示基板４２の配設部２６において、表示基板４２と対向する面よりスイッチ４４ａ〜４４ｃを位置決めするリブ４５を設ける。【選択図】  図１
2004356035.tif 000002
【特許請求の範囲】
【請求項１】
ケーシングの表面に動作状態などを表示する表示手段を備えた家庭用電気製品のスイッチ取付構造において、
前記表示手段の背部に配設する表示基板に、該表示基板と平行に操作するスイッチを配設するとともに、該スイッチの操作部を対向する前記ケーシングの表面に配設し、該操作部と前記表示手段とを前記ケーシングにおいて互いに交わる異なった面に配置していることを特徴とする家庭用電気製品のスイッチ取付構造。
【請求項２】
前記ケーシングにおける前記表示基板の配設部において、前記表示基板と対向する面より前記スイッチを位置決めするリブを設けたことを特徴とする請求項１に記載の家庭用電気製品のスイッチ取付構造。
【発明の詳細な説明】
【０００１】
【発明の属する技術分野】
本発明は、空気清浄機などの薄型の家庭用電気製品のスイッチ取付構造に関するものである。
【０００２】
【従来の技術】
従来より種々の家庭用電気製品は、その動作状態などをユーザが確認するために表示するＬＥＤや液晶パネルなどからなる表示手段と、希望のモードで動作させるための操作パネルとを備えている。また、これら表示手段と操作パネルとは、互いに近傍に位置するように設定され、ユーザの操作性を向上させている。
【０００３】
そのため、前記表示手段を動作させるための表示基板には、前記操作パネルに配設する操作部と連結したスイッチを実装し、基板の部品点数を削減するのが一般的である。この場合、家庭用電気製品のケーシングにおいて、前記表示手段と操作パネルとは同一面に配設される。
【０００４】
そして、前記表示手段および操作パネルをケーシングの正面に配設した場合には、この家庭用電気製品が薄型で、かつ、床や机の上に載置して使用するものの場合、正面の操作部を操作すると製品が倒れる恐れがある。また、前記表示手段および操作パネルをケーシングの上面に配設した場合には、表示手段の表示状態をユーザが確認し難いという問題がある。
【０００５】
本発明は、このような問題を解決するためのもので、この種の家庭用電気製品のスイッチ取付構造に関連する先行技術文献情報としては次のものがある。
【０００６】
【特許文献１】
特開平１１−１９５３３９号公報
【０００７】
この特許文献１では、電気製品のケーシングに対して垂直方向に延びるように表示基板を配設し、この表示基板に対して水平方向に押込み可能なスイッチを実装している。また、ケーシングには、前記表示基板と直交する方向である上面に、下方に向かって押込み可能に露出する操作部を設け、該操作部で下向きの操作力を水平方向に変換して前記スイッチの接点をオン、オフする構成としている。
【０００８】
【発明が解決しようとする課題】
しかしながら、前記家庭用電気製品のスイッチ取付構造は、操作部の構造が複雑であるうえ、垂直方向の操作力を水平方向に変換してスイッチを駆動させるため、ユーザが操作するのに大きな力が必要になるという不都合がある。
【０００９】
そこで、本発明では、構造の簡素化を図るとともに、操作が簡単な家庭用電気製品のスイッチ取付構造を提供することを課題とするものである。
【００１０】
【課題を解決するための手段】
前記課題を解決するため、本発明の家庭用電気製品のスイッチ取付構造は、ケーシングの表面に動作状態などを表示する表示手段を備えた家庭用電気製品のスイッチ取付構造において、前記表示手段の背部に配設する表示基板に、該表示基板と平行に操作するスイッチを配設するとともに、該スイッチの操作部を対向する前記ケーシングの表面に配設し、該操作部と前記表示手段とを前記ケーシングにおいて互いに交わる異なった面に配置している構成としている。
【００１１】
このように構成したスイッチ取付構造によれば、ユーザーが操作部を操作する場合、表示基板と平行に押すことにより、希望の動作を実行できるため、その操作力は非常に小さくてよいうえ、その構造を簡素化できる。
【００１２】
この家庭用電気製品のスイッチ取付構造では、前記ケーシングにおける前記表示基板の配設部において、前記表示基板と対向する面より前記スイッチを位置決めするリブを設けることが好ましい。このようにすれば、操作部を操作する際に表示基板に作用する前側への撓みを防止できる。
【００１３】
【発明の実施の形態】
以下、本発明の実施の形態を図面に従って説明する。
図１から図６は、本発明の実施形態に係るスイッチ取付構造を適用した家庭用電気製品である空気清浄機１０を示す。この空気清浄機１０は薄型の機械集塵式であり、ファン２１を動作させることにより室内に浮遊する粉塵やガスを含んだ空気をケーシング１１内に吸引し、清浄フィルタ１６Ａ，１６Ｂを通して吸引した空気を清浄した後、その清浄した空気をケーシング１１の外部に循環供給するものである。
【００１４】
前記ケーシング１１は、図１から図３に示すように、前後部を開口したベース１２と、該ベース１２の前側開口を遮蔽する前カバー２９と、前記ベース１２の後側開口閉鎖する後カバー３１とからなる。
【００１５】
前記ベース１２は、図１および図４（Ａ），（Ｂ）に示すように、前後を仕切る仕切板１３を備え、この仕切板１３には多数の通気孔１４が形成されている。このベース１２には、前記仕切板１３によって区画された前側に清浄フィルタ１６Ａ，１６Ｂが配設されるとともに、後側にファン２１と、表示基板４２と、回路基板４９とが配設される。
【００１６】
具体的には、ベース１２の前側には、図４（Ａ）に示すように、後向きに窪んだフィルタ配設部１５が設けられ、このファン配設部２３に、活性炭フィルタからなる軟質で薄い脱臭用の清浄フィルタ１６Ａと、数ミクロンの極細繊維を濾材とした集塵用のＨＥＰＡ（Ｈｉｇｈ  Ｅｆｆｉｃｉｅｎｃｙ  Ｐａｒｔｉｃｕｌａｔｅ  Ａｉｒ）フィルタからなる厚肉の清浄フィルタ１６Ｂとが配設される。このフィルタ配設部１５には、前記清浄フィルタ１６Ａがファン２１による吸引力で仕切壁に密着し、流通路が閉塞されるのを防止するために複数のリブ１７Ａ，１７Ｂ，１７Ｃ，１７Ｄが設けられている。ここで、リブ１７Ａは、後述する隔板２２の中央から十字形状に延びるように形成されている。なお、このリブ１７Ａにより区画される領域は、隔板２２の形状に伴って図中左側が右側より広くなる。リブ１７Ｂは、隔板２２の中央部分から放射状に延びるように形成されている。リブ１７Ｃは、フィルタ配設部１５の外周縁に所定間隔をもって形成されている。リブ１７Ｄは、リブ１７Ａによって広い領域として区画された左側部分において、リブ１７Ｂ，１７Ｃの間の位置するように形成されている。
【００１７】
また、ベース１２の前側において、前記フィルタ配設部１５の上部には表示パネル配設部１８が設けられている。この表示パネル配設部１８には、表示手段を構成するＬＥＤ４３ａ〜４３ｅを配設する貫通孔１９が設けられるとともに、受信機を配設する貫通孔２０が設けられている。これら貫通孔１９，２０には、その縁から後側に突出する筒部が設けられている。
【００１８】
前記ベース１２の後側には、図４（Ｂ）に示すように、ファン２１を囲繞する略渦形状の隔板２２が一体に設けられ、この隔板２２により、内部のファン配設部２３と、外部の基板配設部２４とに区画されている。前記隔板２２には、吹出口３３から垂直下向きに見えない位置にマイナスイオン発生装置２５が配設されている。このマイナスイオン発生装置２５は、マイナス電極とプラス電極とで構成され、電圧の印加により両電極間に介在する空気中の微粒子をマイナスイオン化する周知のものである。また、ベース１２の後側において、前記フィルタ配設部１５の上部には、表示パネル配設部１８の背部に位置する表示基板配設部２６が設けられている。
【００１９】
前記ベース１２の上面には、前記表示基板配設部２６の垂直方向上側に位置する操作パネル配設部２７が設けられている。即ち、表示基板４２と操作パネル４６とは、ケーシング１１において、互いに直交方向に交差する異なった面に配設されている。この操作パネル配設部２７には、前記表示基板配設部２６に貫通する貫通孔２８が設けられている。
【００２０】
前記前カバー２９は、図２に示すように、水平方向に延びるスリットからなる多数の吸込口３０を備えている。この前カバー２９は半透明な樹脂カバーからなり、前記ベース１２に配設する表示パネル３５が透視できるように構成されている。
【００２１】
前記後カバー３１は、図３に示すように、前記ベース１２に取り付けることによって、その内面と前記隔板２２とを当接させてこれらの間をシールするものである。この後カバー３１には、後方に膨出する膨出部３２が設けられ、この膨出部３２の上面に前記ベース１２の隔板２２内と連通する吹出口３３が設けられている。また、この後カバー３１には、図１および図４（Ｂ）中二点鎖線で示すように、前記マイナスイオン発生装置２５のカバー部３４が略Ｌ字形状に突出するように設けられている。このカバー部３４は、前記吹出口３３から水が浸入してファン２１に付着した場合、該ファン２１から飛散される水滴がマイナスイオン発生装置２５に付着することを防止する。
【００２２】
前記表示パネル３５は、図２および図５に示すように、通常運転モードである静音風量動作表示部３６と、通常運転モードである標準風量動作表示部３７と、特殊運転モードであるターボ動作表示部３８と、切タイマ機能が動作中であることを示す切タイマ動作表示部３９と、マイナスイオン発生装置２５が動作中であることを示すマイナスイオン動作表示部４０と、リモコンの信号を受信する受信部４１とが設けられている。
【００２３】
前記表示パネル３５の背部に配設される表示基板４２は、表示基板配設部２６に配設されるもので、図１に示すように、前記各表示部３６〜４０（貫通孔１９）に対応する表示手段であるＬＥＤ４３ａ〜４３ｅと、受信部（貫通孔２０）と対応する図示しない受信機とが配設されている。また、前記操作パネル配設部２７に貫通する貫通孔２８に対応する３つのタクトスイッチ４４ａ〜４４ｃが配設されている。また、表示基板４２には、制御手段であるマイコンが実装されている。
【００２４】
前記ＬＥＤ４３ａ〜４３ｅおよび受信機は、表示基板４２から鉛直（水平方向）に突出するように設けられている。前記タクトスイッチ４４ａ〜４４ｃは、その接点が表示基板４２に対して平行に操作されることによりオン、オフされるものである。本実施形態では、ベース１２の表示基板配設部２６において、表示基板４２と対向する面より該タクトスイッチ４４を位置決めするためのリブ４５が設けられている。このリブ４５は、図１に示すように、タクトスイッチ４４の前面を位置決めする矩形状の第１位置決め部４５ａと、該第１位置決め部４５ａの下端から突出してタクトスイッチ４４の下部を位置決めする第２位置決め部４５ｂとからなる。
【００２５】
前記操作パネル４６は、図１および図６に示すように、前記タクトスイッチ４４ａ〜４４ｃの接点と対応する棒状の操作部４７ａ〜４７ｃを備え、その表面に樹脂シート４８を配設したものである。これにより、これら操作部４７ａ〜４７ｃと表示手段であるＬＥＤ４３ａ〜４３ｅとは、ケーシング１１であるベース１２において、互いに直交方向に交わる異なった面に配置され、操作部４７ａ〜４７ｃを表示基板４２に対して平行に操作することにより、希望の清浄動作を実行できるように構成されている。なお、操作部４７ａは、通常運転モードである「静音」運転、「標準」運転および待機モードを順番に変更する選択／切スイッチである。操作部４７ｂは、特殊運転モードであるターボ運転を実行または停止する実行スイッチである。操作部４７ｃは、切タイマ機能の実行スイッチである。また、本実施形態の操作パネル４６には、電源をオンまたはオフするための電源スイッチは設けられていない。
【００２６】
前記表示基板４２に実装されたマイコンは、ユーザーのスイッチ操作に応じて、内蔵したＲＯＭに記憶されたプログラムに従って、通常運転モードである「静音」運転および「標準」運転、または、特殊運転モードであるターボ運転を実行し、清浄動作を行う。また、これらの清浄動作を所定時間で停止する切タイマ機能を実行する。さらに、図示しないリモコン操作により、前記マイナスイオン発生装置２５によるマイナスイオン発生動作を実行する。
【００２７】
ここで、通常運転モードの１つである「静音」運転は、ファン２１を低速の回転数（４００ｒｐｍ）で連続的に動作させる従来と同一のものである。また、通常運転モードの１つである「標準」運転は、標準の回転数（９５０ｒｐｍ）で連続的に動作させる従来と同一のものである。また、特殊運転モードであるターボ運転は、ファン２１を高速の回転数（１１００ｒｐｍ）で動作させるものである。
【００２８】
このように構成した空気清浄機１０では、ユーザーが操作パネル４６の操作部４７ａ〜４７ｃを操作する場合、表示基板４２と平行である垂直方向下向きに押すことにより、各タクトスイッチ４４ａ〜４４ｃをオンし、希望の動作を実行させることができる。そのため、その操作力は非常に小さくてよいうえ、操作性がよい。また、操作部４７は、ベース１２に設けた貫通孔２８を貫通させてタクトスイッチ４４に位置決めするだけであるため、その構造を簡素化でき、コストダウンを図ることができる。
【００２９】
しかも、操作部４７ａ〜４７ｃを操作する際には、その操作力が表示基板４２に対して前側に撓む方向に作用する。しかし、本実施形態では、ベース１２にタクトスイッチ４４ａ〜４４ｃを位置決めするリブ４５を設けているため、前記操作力が表示基板４２に影響を及ぼすことを防止できる。
【００３０】
なお、本発明の家庭用電気製品のスイッチ取付構造は、前記実施形態の構成に限定されるものではなく、種々の変更が可能である。
【００３１】
例えば、前記実施形態では、表示パネル３５をケーシング１１の正面に配設するとともに、操作パネル４６をケーシング１１の上面に配設したが、表示パネル３５を上面に配設するとともに、操作パネル４６を側面に配設してもよい。即ち、これらのパネル３５，４６は、互いに交わる異なった面に配置すれば、前記と同様の作用および効果を得ることができる。
【００３２】
また、前記実施形態では、表示手段として複数のＬＥＤ４３ａ〜４３ｅを適用したが、液晶パネルであってもよい。
【００３３】
さらに、前記実施形態では、家庭用電気製品として薄型の空気清浄機１０に適用したが、薄型の液晶テレビなどにも適用可能であり、その対象製品も希望に応じて変更が可能である。
【００３４】
【発明の効果】
以上の説明から明らかなように、本発明の家庭用電気製品のスイッチ取付構造では、表示手段の背部に配設する表示基板に、該表示基板と平行に操作するスイッチを配設するとともに、該スイッチの操作部を対向する前記ケーシングの表面に配設しているため、構造の簡素化を図ることができるうえ、その操作力を非常に小さくすることができる。
【図面の簡単な説明】
【図１】本発明の実施形態に係る家庭用電気製品である空気清浄機を示す断面図である。
【図２】図１の前方斜視図である。
【図３】図１の後方斜視図である。
【図４】ケーシングのベースを示し、（Ａ）は正面図、（Ｂ）は背面図である。
【図５】表示パネルの正面図である。
【図６】操作パネルの平面図である。
【符号の説明】
１０…空気清浄機（家庭用電気製品）  １１…ケーシング
１２…ベース                        ２９…前カバー
３１…後カバー                      ３５…表示パネル
４２…表示基板                      ４３ａ〜４３ｅ…ＬＥＤ（表示手段）
４４ａ〜４４ｃ…タクトスイッチ      ４５…リブ
４６…操作パネル                    ４７ａ〜４７ｃ…操作部
【図１】
2004356035.tif 000003
【図２】
2004356035.tif 000004
【図３】
2004356035.tif 000005
【図４】
2004356035.tif 000006
【図５】
2004356035.tif 000007
【図６】
2004356035.tif 000008